(57)【要約】【目的】１００℃よりも低温の常圧沸点を有する低沸点水を提供する。【構成】低沸点水は、固体状物質を磁界処理して水に対する低沸点化機能を付与し、それと水との接触による低沸点化処理によって低沸点の物性を有するものにされている。【構成】低沸点水は、常圧沸点が８０℃程度になる。【選択図】なし【特許請求の範囲】
【請求項１】
下記（Ａ）の磁界処理がされた単体・化合物・重合体からなる固体の一種若しくは複数種により下記（Ｂ）の低沸点化処理が施されて低沸点になっていること、を特徴とする低沸点水。
（Ａ）磁界処理
磁界処理は、７０Ａ以上の高周波信号の磁界を単体・化合物・重合体からなる固体に対して１０分〜２３時間照射する処理からなる。
（Ｂ）低沸点化処理
低沸点化処理は、磁界処理をした単体・化合物・重合体からなる固体を水に対して３０分〜３２時間接触させることからなる。
【請求項２】
下記（Ｃ）の磁界処理がされた固体無機化合物及び固体有機化合物の一種若しくは複数種により下記（Ｄ）の低沸点化処理が施されて低沸点になっていること、を特徴とする低沸点水。
（Ｃ）磁界処理
磁界処理は、１００Ａ以上の高周波信号の磁界を固体無機化合物及び固体有機化合物に対して３０分〜１８時間照射する処理からなる。する処理からなる。
（Ｄ）低沸点化処理
低沸点化処理は、磁界処理をした固体無機化合物及び固体有機化合物からなる固体を水重量に対して０．１〜７重量％で、かつ、３０分〜２８時間接触させることからなる。
【請求項３】
下記（１）〜（３）の一つ若しくは複数の特徴を有する請求項１若しくは２に記載の低沸点水。
（１）前記高周波信号が、１００Ａ以上で周波数３〜３５ＭＨＺ  の三角波若しくは方形波の高周波信号からなる。
（２）前記固体無機化合物が、複数の固体無機化合物から構成される岩石からなる。
（３）低沸点化処理での固体量が、水重量に対して０．３〜５重量％からなる。
【発明の詳細な説明】
【０００１】
【発明の属する技術分野】
本発明は、人為的処理によって低い常圧沸点を有している低沸点水に関する。
【０００２】
【従来の技術】
水は、高沸点（分子量から予測されるより著しく高い沸点（常圧：１００℃））、高融点（分子量から予測されるより著しく高い融点（常圧：０℃））、高蒸発潜熱（液体では最大である（１００℃：５３９ｃａｌ／１ｇ））、高融解潜熱（液体中で最大である）、高比熱容量（液体中で最大である）、熱伝導率（液体中で最大である）、高表面張力（液体中で最大である）及び密度（４℃での液体の水の密度が最大で、氷の密度よる大きくなる）等の特異的物性を有して、化学的・生化学的にも特異的な物性（例えば、溶解性）を有している。
【０００３】
水の特異的物性は、水の構造及び分子間力（水素結合力、ファンデルワ−ルス力等）の問題として古くから研究されていて、膨大ともいえる研究結果が公表されて、数多くの成書も刊行されている（例えば、近藤保、大島広行：「分子間力と表面力」（第２版）株式会社朝倉書店、１９９６年発行、ｐ１２１〜１２３、荒田洋治：「水の書」共立出版株式会社、１９９８年発行、ｐ３１等を参照）。
【０００４】
しかし、液体の水（水分子集合体）は、水分子がナノレベルの微小時間で不均一空間を乱雑に移動して、水分子間に働く複雑な相互作用が働くところから、水分子間の相互作用は動的な統計的デ−タによらざるを得ず、液体の水の構造については多くの未知領域が存在する。従って、水若しくは希薄水溶液の沸点に関する現象と水の分子間に働くエネルギ−との関連についても、多くの未知領域が存在する。次に、水の沸点に関連する現象として、共沸混合物、沸点上昇及び気液平衡の塩効果を説明する。
【０００５】
〈共沸混合物〉：
共沸混合物は、複数成分が相互に自由な比率で溶解する非理想溶液の特定混合
溶液の沸点曲線に共沸点（極小共沸点、極大値共沸点）が生成する現象であって、例えば、水（沸点：１００℃）／エチルアルコ−ル（沸点：６１．２℃）系の混合溶液の沸点曲線では、極小共沸点（５６．１℃）が生成する。図３は、Ａ・Ｂの成分が自由な比率で混合可能な混合溶液において、Ｂ成分のモル分率が０．２を越えた比率で極小共沸点３０を生成する沸点曲線を示している。
水を含む混合溶液系での共沸点は、いずれもが、他の成分を多量を含む状態で生成する。蒸留操作等では、第３成分（一般的には、揮発性成分で、エントレイナ−とも称される）が加えて共沸点を消滅させている。希薄水溶液では、共沸点を生成することがない。
【０００６】
〈気液平衡の塩効果〉：
気液平衡の塩効果は、共沸点を生成する沸点曲線の混合溶液系に対して、電解質の塩を加えると共沸点が消失する現象であって、数十の実験例が報告されていて、塩濃度の増加に比例して塩効果が増大する（例えば、大江修造：「気液平衡デ−タ集−塩効果」株式会社講談社発行、１９９１年発行、ｐ１１等を参照）。気液平衡の塩効果は、塩濃度の増加により塩効果が増大するところから、液成分中で溶解した塩により溶媒和が生成し、混合溶液の液成分間での相対揮発度の相違によるとされている。
【０００７】
〈沸点上昇〉：
水の沸点上昇には、水に溶解の不揮発性溶質（水と反応・会合しない溶質）によるもの及び水に溶解の無機電解質によるもの等がある。不揮発性溶質の溶解による場合の水のモル沸点上昇定数Ｋｂ  （溶質１モルを水１Ｋｇに溶解した希薄水溶液の沸点上昇温度に相当する）は、０．３１５Ｋであって他の溶媒のモル沸点上昇定数Ｋｂ  （殆どが１〜５Ｋ程度）に比較して相当に小さいことがよく知られている（社団法人日本化学会：「化学便覧基礎編改定４版」丸善株式会社、平成２年発行、Ｐ１４９〜１５０、アトキンス：「物理化学（上）」株式会社化学同人、３２０１年発行、Ｐ２３３〜２３９等を参照）。
【０００８】
無機電解質の溶解による場合としては、塩化ナトリウムの水への溶解量が増加すると水の常圧沸点が上昇し、塩化ナトリウムの溶解量が３２重量％の水溶液の常圧沸点が１０４．７℃にまで上昇する（水科篤郎、桐定良三編：「化学工学概論」産業図書株式会社、昭和６３年発行、Ｐ８８等を参照）。  なお、「沸点」は、一定圧力下で液体が沸騰する温度（すなわち、液体内部からも気化が生ずる温度）であって、熱力学的には、その一定圧力下で飽和蒸気とその液相が平衡に共存する温度である（熱物性ハンドブック編集委員会：「熱物性ハンドブック」素賢堂株式会社発行、３２００年発行、ｐ１３等を参照）。
【０００９】
ただし、「沸点」は、常圧で液体が沸騰する温度という狭義の意味に使用されることもある。本明細書においては、「沸点」を一定圧力下での沸騰温度の語義で使用している。
一方、水を電場処理若しくは磁化処理する実験も工業的規模で行われている。
次にそれらの公表された実験結果を説明する。
【００１０】
〈水の電場処理〉：
水への印加電圧（直流プラス電源による）と水の蒸発速度との関係が実験により詳細に検討されて、印加電圧が小さい間の水の蒸発速度は自然蒸発と同じ程度であるが、印加電圧が４ｋＶ程度になるとコロナ放電が始まって蒸発速度が急速に促進され、印加電圧が１０ｋＶ以上では、蒸発速度が自然蒸発の１０倍以上になることが報告されている（中根  滋、久保田昌治編：「水の再発見」株式会社光琳、平成６年発行、Ｐ１０９、矢部ほか５名：「電場における凝縮伝熱の促進に関する研究」日本機械学会論文集、４６巻４５５号等を参照）。なお、同様の実験は数多く行われて、同様の結果が報告されている。
【００１１】
〈水の磁化処理〉：
水は、磁性体であるところから磁場印加により変化することが従前から予測されて、水への磁場印加により水による赤錆発生を防止する技術が工業的装置で実用化されている（中根  滋、久保田昌治編：「水の再発見」株式会社光琳、平成６年発行、Ｐ４１〜４３等を参照）。ただし、水への磁場印加による水の特異的物性に対する影響については検討されていない。
【００１２】
なお、遍移金属錯体の試料を磁場Ｈにおいたときに、Ｍ（磁化）＝ｘＨの式で定義される磁化が生ずることが知られている。磁化Ｍは単位容積当たりの磁気双極子モ−メント、Ｈは磁場、ｘは比例常数の容積磁化率である。この式からは、遍移金属錯体は、磁化が磁場の大きさに比例することなる。しかし、この式が成立する範囲の磁場において磁化した金属錯体を水に接触させても、水の常圧沸点の低下が生じないことが本発明者により実験で確認されている。
また、強磁性体を水に接触させても、同様に水の常圧沸点の低下が生じないことも本発明者により実験で確認されている。
【００１３】
【発明の解決すべき課題】
従来にあっては、水の特異的物性（特に、高沸点）を人為的に制御する等は、発想もされておらず、かつ、提案も行われていなかった。従って、水の常圧沸点を人為的に低下させる等も研究の対象になっていなかった。
一方、水は、産業での使用分野、使用量及び処理量、使用態様の多様性からして、最大規模のものであって、その沸点の高低が直接的・間接的に生産コスト・使用コストとして反映される使用態様も膨大である。例えば、装置産業に限ってみても、蒸発装置の多くは、操作系を減圧にして水の沸点を下げて蒸発させ、加熱源と水との温度差を大きくして熱効率を向上させている。また、水を蒸気／凝縮を循環させて蒸発潜熱を利用する工業装置（例えば、発電機）等でも、減圧にして水の沸点を下げて操作されている。
従って、仮に、水をして常圧で１００℃よりも低温の沸点することができれば、全産業分野における水利用での熱効率向上・環境保全・省エネルギ−等に有益であることが明白である。
【００１４】
そこで、本発明者は、長期（約１０年）に及ぶ多様な実験を通じて水の低沸点化の可能性を検討して、高周波磁界を照射した物質と水との接触によって水の低沸点化が生じ得ることを見いだした。
本発明は、１００℃よりも低温の常圧沸点を有する低沸点水を提供すること、を目的とする。
本発明は、通常の水道水及び工業用水であっても低温の常圧沸点を有することが可能になる低沸点水を提供すること、をも目的とする。
【００１５】
【課題を解決するための手段】
本発明による低沸点水は、下記（Ａ）の磁界処理がされた単体・化合物・重合体からなる固体の一種若しくは複数種により下記（Ｂ）の低沸点化処理が施されて低沸点になっていること、を特徴とする。
（Ａ）磁界処理
磁界処理は、７０Ａ以上の高周波信号の磁界を単体・化合物・重合体からなる固体に対して１０分〜２３時間照射する処理からなる。
（Ｂ）低沸点化処理
低沸点化処理は、磁界処理をした単体・化合物・重合体からなる固体を水に対して３０分〜３２時間接触させることからなる。
【００１６】
【発明の実施の形態】
本発明は、長期間（約１０年）の数１００回にも及ぶ繰り返しの実験において得られた科学的事実、すなわち、一定の条件で高周波磁界を照射した物質に水を一定の条件で接触させると水が低沸点化するという科学的事実を基礎にしている。
なお、高周波磁界を照射した物質が水に与える働き（例えば、水の沸点に関係する水分子間相互作用の与える働き）は、分析技術・解析技術からくる制約から解析が実質的に困難であるところから、効果の確認は主として水の沸点の確認により行われた。本発明を磁界処理物質とそれによる水の常圧低沸点化とから具体的に説明する。
【００１７】
〈磁界処理の対象物質〉：
磁界処理の対象物質（以下において、対象物質という場合は、磁界処理の対象物質の意味で使用している）は、単体（単一元素の集合体）・化合物（無機及び有機のいずれでもよい）及び重合体（無機及び有機のいずれでもよい）の一種若しくは複数種からなるもので、常温・常圧で固体の形態を有するものである。
ただし、対象物質の磁界処理及び磁界処理物質による低沸点化処理の条件は、対象物質の違いによって著しく相違することが本発明で見いだされている。
また、低沸点化の効果は、対象物質の基本的特性（電子配置（最外殻軌道の電子配置）、構成原子の種類）よりも、対象物質に対する磁界処理及び磁界処理物質による低沸点化処理の条件の相違による影響が顕著であることが本発明者による長期間行われてた数多くの実験から明らかになっている。
【００１８】
対象物質となる単体は、反磁性である典型元素若しくは常磁性である遷移元素のいずれの集合体でもよく、結晶性若しくは非晶性の固体のいずれでもよく、イオン性若しくは非イオン性の固体のいずれでもよい。対象物質となる単体は、例えば、ホウ素、炭素、炭素同位体（例えば、フラ−レン、無定形炭素等）、ケイ素、鉄、チタン、コバルト、銅、カルシウム、モリブデン等である。固体単体は、天然物に含有された状態若しくは天然物それ自体（例えば、自然銅等の元素鉱物等）他であってもよい。
【００１９】
対象物質となる化合物は、常温・常圧で固体となるものであって、化学結合の様式（共有結合、イオン結合、金属結合等）及び分子間相互作用（誘起双極子、イオン−双極子相互作用、双極子−双極子相互作用、水素結合、ファンデルワ−ルス力）の態様よりも、対象物質に対する磁界処理及び磁界処理物質による水低沸点化処理の条件の相違の影響の方が大きい。
化合物は、例えば、固体無機化合物、固体有機化合物若しくは固体生化学物質のいずれであっても本発明の磁界処理により水への低沸点化機能の付与が可能であって、結晶性及びイオン性の有無に制約されることがなく、無水物若しくは水和物のいずれであってもよい。ただし、固体無機化合物であると、磁界処理による水への低沸点化機能の付与が容易である。
【００２０】
固体無機化合物は、例えば、（１）ケイ素酸化物（１個〜６個の酸素の構造のものが可能）、ナトリウム酸化物（酸化二ナトリウム、二酸化二ナトリウム、二酸化ナトリウム等）、マグネシウム酸化物（酸化マグネシウム等）、アルミニウム酸化物（アルミナ等）、カリウム酸化物（酸化二カリウム、二酸化二カリウム、二酸化カリウムウム等）、カルシウム（酸化カルシウム等）、亜鉛酸化物（酸化亜鉛等）等の典型元素酸化物、（２）銅酸化物（酸化二銅等）、チタン酸化物（酸化チタン、三酸化二チタン、三酸化二チタン等）、マンガン酸化物（酸化マンガン、二酸化マンガン等）、鉄酸化物（酸化鉄、三酸化二鉄等）、コバルト酸化物（酸化コバルト等）、クロム酸化物（二酸化クロム、三酸化二クロム等）、アルミニウム（三酸化二アルミニウム等）、タングステン酸化物（三酸化タングステン等）、レニウム酸化物（三酸化レニウム等）等の遍移金属元素酸化物、（３）スピネル等の混合金属酸化物、（４）カルコゲン化物、（５）二硫化物（二硫化モリブデン等）、シエプレル相化合物（モリブデンのカルコゲニル化合物等）等の金属硫化物、（６）ナトリウムハロゲン化物（塩化ナトリウム等）、マグネシウムハロゲン化物（二塩化マグネシウム等）、亜鉛ハロゲン化物（二塩化亜鉛等）、カリウムウムハロゲン化物（塩化カリウムウム等）等の典型元素ハロゲン化物、（７）銅ハロゲン化物（塩化銅、二塩化銅等）、亜鉛ハロゲン化物（塩化亜鉛等）、チタンハロゲン化物（二塩化チタン、三塩化チタン、四塩化チタン等）、マンガンハロゲン化物（二塩化マンガン等）、鉄ハロゲン化物（二塩化鉄、三塩化鉄等）、コバルトハロゲン化物（二塩化コバルト等）、モリブデンハロゲン化物（二塩化モリブデン等）、ニッケルハロゲン化物（二塩化ニッケル等）等の遍移金属元素ハロゲン化物、（８）マグネシウム炭酸塩（炭酸マグネシウム等）、カルシウム炭酸塩（炭酸カルシウム等）等の典型金属炭酸塩、（９）カルシウムケイ酸塩（ケイ酸カルシウム等）、アルミニウムケイ酸塩（アルミノケイ酸塩等）等の典型金属ケイ酸塩、（１０）カルシウム硫酸塩（硫酸カルシウム等）等の典型金属硫酸塩、（１１）カルシウムリン酸塩（リン酸カルシウム等）等の典型金属リン酸塩等である。
【００２１】
また、固体単体及び固体無機化合物は、例えば、天然物の含有物若しくは天然物から分離物でもよく、それらから構成される天然物でもよい。天然物の含有物は、例えば、岩石に含まれる鉱物等である。天然物は、例えば、複数の固体無機化合物から構成される岩石等である。
【００２２】
鉱物は、多くの種類が使用可能であって、例えば、（１）金、銀、銅等の元素鉱物、（２）赤銅鉱、金緑鉱、コランダム、赤鉄鉱等の酸化鉱物、（３）方解石、菱鉄鉱、菱マンガン鉱、クジヤク石等の硫化鉱物、（４）岩塩、ホタル石等のハロゲン化鉱物、（５）方解石、菱鉄鉱、菱マンガン鉱、クジヤク石等の炭酸塩鉱物、（６）石膏、天青石等のホウ酸塩鉱物、（７）小藤石等の硫酸塩鉱物、（８）青銅鉱、黄鉄鉱等の硫化鉱物、（９）リン灰石等のリン酸塩鉱物、（１０）カオリン、カリ長石、正長石、曽長石、灰長石、カンラン石、白雲母、金雲母、黒雲母、蛇紋石、鉄バンザクロ石、緑柱石、シソ輝石、ヒスイ輝石、リシア輝石、普通輝石、ネフェリン等のケイ酸塩鉱物等である。
【００２３】
岩石としては、例えば、火成石等の使用が適している。火成石は、ケイ酸塩鉱物を多く含有し、一般的には、おおよそ１２〜１３種類の酸化物とその成分を含んで複雑な構造を有して、ケイ酸塩鉱物の量びマグマの冷却・固化に由来の特異で複雑な構造等を有している。
【００２４】
また、固体有機化合物を磁界処理して常圧沸点低下に供することも可能である。固体有機化合物及び固体生化学物質は、常温・常圧で固体の形態を有していれば、合成物・天然物・天然物の一種若しくは複数を使用に供することが可能であって、それらを化学変化（例えば、酸化、還元その他）させたものであっても使用に供することが可能である。固体有機化合物を化学変化させたものとしては、例えば、石炭、木材、紙等を炭化処理（酸化）した炭化物等があげられる。炭化物は、特に、岩石等の天然物と併用すると常圧沸点低下に有効であることが本発明で見いだされている。さらに、常圧沸点低下に供し得る重合体としては、例えば、ケイ酸塩重合体等が挙げられる。
【００２５】
〈対象物質の磁界処理〉：
磁界処理は、小塊、小粒子若しくは微細粒子（例えば、１０ミクロン〜１００メッシュ）にした対象物質に対して７０Ａ以上（好ましくは、１００Ａ以上）の高周波信号の磁界を常圧沸点低下に有効な条件で照射することからなる。
磁界処理の条件は、対象物質の構造等によって相違することが本発明で見いだされていて、高周波周波数が３〜３５ＭＨＺ  （好ましくは、７〜３０ＭＨＺ  ）ので常圧沸点低下に有効な波形（例えば、三角波若しくは方形波）の高周波磁界であると、常圧沸点低下機能の付与が容易である。
【００２６】
また、高周波磁界を照射する時間は、対象物質の構造・特性と、常圧沸点低下機能の付与性との相互関係等から設定可能であって、一般的には、１０分〜２３時間の照射であれば可能であって、３０分〜１８時間であっても有効な常圧沸点低下機能の付与が可能になる場合もある。対象物質に適する磁界処理の条件（高周波磁界、磁界照射時間等）は、個々の対象物質についての多くの実験によって設定される。
【００２７】
高周波磁界は、パルスジエネレ−タ（ファンクション・ジエネレ−タ、波形発生器とも称される）から水の常圧沸点低下に有効な波形の高周波信号を発生させて、その高周波信号を７０Ａ以上（好ましくは、１００Ａ以上）に増幅（例えば、ＬＣ共振回路）して磁界発生装置（コイル）から発生の高周波磁界が、常圧沸点低下機能の付与に有効な時間照射される。また、１０００〜３０００Ａ等の高周波信号の磁界によっても常圧沸点低下機能の付与が可能である。一般的には、７０Ａ〜１０００Ａ高周波信号の磁界の照射が有効である。パルスジエネレ−タ、ＬＣ共振回路及び磁界発生装置は、公知の装置を利用してもよく、新たに創作した装置を利用してもよい。
【００２８】
〈水の低沸点化処理〉：
水の低沸点化処理は、水の低沸点化に有効な磁界処理物質（すなわち、本発明の磁界処理をした単体・化合物・重合体からなる固体）と水とを所定時間接触させることによって行われる。所定時間とは、水の低沸点化に有効な時間であって、磁界処理物質の種類及び磁界処理条件によって変わってくること、及び低沸点化に有効な接触時間が３０分〜３２時間の広い範囲に分布すること等が本発明で見いだされている。また、多くの磁界処理物質では、低沸点化に有効な接触時間が３０分〜２８時間程度になっている。
水と磁界処理物質との接触は、常圧沸点低下に有効であれば、その接触方法において任意であって、磁界処理物質を水中に混在させて沸騰させるのが一般的である。また、磁界処理物質との接触により低沸点となった水から磁界処理物質を除いて、その低沸点の水を目的とする大容量の水に希釈して、その大容量の水を低沸点化してもよい。
水を低沸点化することが可能であれば、水に接触させる磁界処理物質の量は任意である。しかし、磁界処理物質が水重量に対して０．１〜７重量％であると、水の低沸点化が容易である。
【００２９】
〈低沸点水〉：
本発明による低沸点水は、容器に入れた状態に条件で加熱を継続すると、温度上昇により通常の沸点近傍の温度（すなわち、１００℃近傍の温度）になって、直ちに反転して時間の経過に伴って、沸点がおおよそ８０℃付近の温度まで低下してその温度を維持する。この現象は、反転後に加熱の熱源を高くしても同じあった（図１を参照）。
また、時間の経過に伴う沸点変化は、磁界処理物質の条件によって相違することが本発明で見いだされている。ただし、磁界処理物質及び低沸点化処理の条件が相違することがあっても、磁界処理物質が低沸点化機能を有するものにされている場合には、同様の傾向になることも本発明で見いだされている（図２を参照）。
【００３０】
〈低沸点化処理の対象となる水〉：
低沸点化の対象となる水は、純水、蒸留水、水道水、雨水、工業用水及び天然水のいずれであってもよい。このことは、実験により明らかになっている。
なお、本発明においては、本発明の目的に沿うものであって、本発明の効果を特に害さない限りにおいては、改変あるいは部分的な変更及び付加は任意であって、いずれも本発明の範囲である。なお、本発明を実施例に基づいて具体的に説明するが、実施例は例示であって本発明を拘束するものではない。以下の実施例は、本発明で行われた実験のごく一部である。
【００３１】
【実施例】
〈実施例１：磁界処理〉
表１は、磁界処理をした無機物質の試料１〜１０を示している。試料１〜５の火成岩は、ケイ酸塩鉱物含有とそれ以外の酸化物が相違している。試料６〜１０の混合無機化合物は、典型元素酸化物、遍移金属元素酸化物、混合金属酸化物、遍移金属元素ハロゲン化物、典型金属炭酸塩、典型金属ケイ酸塩及び典型金属硫酸塩に属する２種の無機化合物を同量混合したものである。試料１〜１０は、いずれも、平均粒径が８０メッシュ以下の微粉状にされている。
表２は、試料１〜１０のそれぞれの試料について行う磁界処理条件を示している。例えば、試料１についてみれば、表２の磁界処理条件の組み合わせに相当する２２５の試料１と同じ数（すなわち、２２５）の試料を用意した。試料２〜１０についても同様である。そして、試料１〜１０及びそれらと同等物を表２の条件で磁界処理した。
【００３２】
【表１】
2004249172.tif 000002
【００３３】
【表２】
2004249172.tif 000003
【００３４】
〈実施例２：磁界処理〉：
表３は、磁界処理をした有機物質の試料１１〜２０を示している。試料１１〜１５の有機炭化物は、原料及び炭化条件が相違している。試料１６〜２０の混合有機化合物は、２種以上の有機化合物が混ざっているもので、試料１６〜１７が合成有機化合物の混合物で、試料１８〜２０が天然有機化合物の混合物である。試料１１〜２０のそれぞれについて、表２の磁界処理条件を実験するだけの試料料を実施例１同様に用意した。そして、試料１１〜２０及びそれらと同等物を実施例１の表２の条件で磁界処理した。
【００３５】
【表３】
2004249172.tif 000004
【００３６】
〈実施例３：水の低沸点化処理〉：
実施例１及び２による磁界処理物質を組み合わせて純水と接触させた。接触時間及び量的比率を変えて低沸点化が発現する条件を調べた。磁界処理物質の組み合わせにより容易に低沸点化が発現する場合と、そうでない場合とがあった。
水の沸点の測定は、磁界処理物質を入れた水５０ミリリットル入れたビ−カを１３０〜１３５℃に制御した油槽で連続的に加熱した。磁界処理物質は、水量に対して、０．３重量％、１．０重量％、４．０重量％、８重量％にして行った。温度計は、断熱材によりビ−カとの接触を防いで水の温度を測定するようにした。
図１は、低沸点化が発現した水（低沸点水）の沸点と時間経過との関係を示す線図である。なお、図１の実験結果は、低沸点水についての実験結果の一部である。低沸点水は、温度上昇により１００℃近傍の沸点になって直ちに反転して時間の経過に伴っておおよそ８０℃付近の温度まで沸点が低下してその沸点を維持した。
図２は、相当数の低沸点水に関する沸点と時間経過との関係のデ−タを整理して、デ−タが存在する領域にハッチングを施した線図である。図２で整理したデ−タに関する限りにおいては、図１と同様の傾向を示した。
【００３７】
【発明の効果】
本発明によれば、下記（ａ）〜（ｃ）に代表される様々な効果が得られる。
（ａ）１００℃よりも低温の常圧沸点を有する低沸点水が得られる。
（ｂ）通常の水道水及び工業用水であっても低温の常圧沸点を有することが可能になる。
（ｃ）水の低沸点化が、低費用で実現できる。
【図面の簡単な説明】
【図１】低沸点水の沸点と時間経過との関係を示す線図である。
【図２】相当数の低沸点水の沸点と時間経過との関係のデ−タを整理した線図である。
【図３】水／エチルアルコ−ル系の混合溶液の沸点曲線示す線図である。
【符号の説明】
３０  極小共沸点
【図１】
2004249172.tif 000005
【図２】
2004249172.tif 000006
【図３】
2004249172.tif 000007